(57)【要約】      （修正有）【課題】付属品を安定に固定でき、折り板を長期間に開けたり閉めたりしても、折り板がディスク放置台から分離しなく、使用寿命が長くなり、且つ大量生産することができ、生産コストが低減する。【解決手段】折畳んで収納することを可能にする部材である折り板と、折り板に固定し設けられ、窪みが設けてあり、窪みの底面に収容窪みが設けてあり、且つ収容窪みの底面にディスクを収容するための定位構造が設けてあるディスク放置台とを含むメディア・ディスク用付属品の固定構造において、ディスク放置台にある窪みの壁面には定位部が設けてあり、且つ定位部と窪みの間には空間が設けてあり、付属品は、ディスク放置台の窪み内に設置され、且つ定位部によって定位部と窪みの間にある空間の内部に定位されるメディア・ディスク用付属品の固定構造。【選択図】図３
0003110421.tif 000002
【実用新案登録請求の範囲】
【請求項１】
折畳んで収納することを可能にする部材である折り板と、前記折り板に固定し設けられ、窪みが設けてあり、前記窪みの底面に収容窪みが設けてあり、且つ前記収容窪みの底面にディスクを収容するための定位構造が設けてあるディスク放置台とを含むメディア・ディスク用付属品の固定構造において、
前記ディスク放置台にある窪みの壁面には定位部が設けてあり、且つ前記定位部と窪みの間には空間が設けてあり、付属品は、ディスク放置台の窪み内に設置され、且つ定位部によって定位部と窪みの間にある空間の内部に定位されることを特徴とする、
メディア・ディスク用付属品の固定構造。
【請求項２】
前記ディスク放置台にある窪みの対向する壁面には定位部が設けてあることを特徴とする、請求項１に記載のメディア・ディスク用付属品の固定構造。
【請求項３】
前記ディスク放置台にある窪みには前記定位部から遠ざかったピンが形成してあり、前記ピンの端面が折り板に貼り付けられたことを特徴とする、請求項１に記載のメディア・ディスク用付属品の固定構造。
【考案の詳細な説明】
【技術分野】
【０００１】
本考案はメディア・ディスク収納ケースに係り、特に付属品を固定できるメディア・ディスク用付属品の固定構造に関するものである。
【背景技術】
【０００２】
消費者がメディア・ディスクを購買するときには、取扱説明書などの付属品が付いてあり、且つメディア・ディスクの読取り面を保護するために、メディア・ディスクは収納ケース内に収納される。
【０００３】
図１に示すのは、従来のメディア・ディスク収納ケースの一つであり、メディア・ディスク収納ケースは、折り板１０とディスク放置台１１とから構成され、前記折り板１０は折畳み可能な部材であり、前記ディスク放置台１１は、一体成形された樹脂製品であり、その上には収容窪み１２が設けてあり、且つ前記収容窪み１２の底面の中央にはメディア・ディスク１４をディスク放置台１１に定位するための定位構造１３が設けてある。また、収容窪み１２の壁面には窪み部１５が設けてあり、前記窪み部１５により使用者が側面からメディア・ディスク１４を取り出すことができ、且つディスク放置台１１が窪み部１５の反対側にある底面で折り板１０に貼り付けられ、付属品１６がディスク放置台１１の間に押されてディスク収納ケース内に収納される。
【考案の開示】
【考案が解決しようとする課題】
【０００４】
しかしながら、従来のメディア・ディスク収納ケースには次のような欠点があった。
（１）消費者がメディア・ディスクを収納したディスク収納ケースを購入するときには、付属品１６がディスク収納ケース内に安定に固定されたかどうかを注意しないので、ディスク収納ケースを開けた瞬間に付属品１６がディスク収納ケースから地面に落下して、付属品１６が汚れる又は破損することがよくあったので、使用は消費者にとって極めて不便であった。
【０００５】
（２）従来のディスク収納ケースはディスク放置台１１の窪み部１５の反対側にある底面で折り板１０に貼り付けられるので、ディスク放置台１１と折り板１０の結合は中央の付近に集中し、折り板１０を長時期に開けたり閉めたりすると、折り板１０がディスク放置台１１から剥離して分離になり、ディスク収納ケースが損壊してしまう。
【０００６】
（３）図２に示すもう一つの従来のディスク収納ケースでは、折り板の内側に樹脂製の止め片１７が熱によって貼り付けてあり、前記止め片１７と折り板１０の間には付属品１６を収納するための収容空間が形成されている。しかし、熱によって貼り付ける作業は、生産コストが増加し、人件費も向上してしまう。
【０００７】
本考案の主な目的は、付属品を固定できるメディア・ディスク用付属品の固定構造を提供する。
【０００８】
本考案の次の目的は、折り板を長期間に開けたり閉めたりしても、折り板がディスク放置台から分離しなく、使用寿命が長くなるメディア・ディスク用付属品の固定構造を提供する。
【０００９】
本考案のもう一つの目的は、大量生産することができ、生産コストが低減できるメディア・ディスク用付属品の固定構造を提供する。
【課題を解決するための手段】
【００１０】
上記目的を達成するためになされた本願の考案は、折畳んで収納することを可能にする部材である折り板と、前記折り板に固定し設けられ、窪みが設けてあり、前記窪みの底面に収容窪みが設けてあり、且つ前記収容窪みの底面にディスクを収容するための定位構造が設けてあるディスク放置台とを含むメディア・ディスク用付属品の固定構造において、前記ディスク放置台にある窪みの壁面には定位部が設けてあり、且つ前記定位部と窪みの間には空間が設けてあり、付属品は、ディスク放置台の窪み内に設置され、且つ定位部によって定位部と窪みの間にある空間の内部に定位されることを特徴とするメディア・ディスク用付属品の固定構造であることを要旨としている。
【００１１】
本願の考案では、前記ディスク放置台にある窪みの対向する壁面には定位部が設けてあることを特徴とする請求項１に記載のメディア・ディスク用付属品の固定構造であることを要旨としている。
【００１２】
本願の考案では、前記ディスク放置台にある窪みには前記定位部から遠ざかったピンが形成してあり、前記ピンの端面が折り板に貼り付けられたことを特徴とする請求項１に記載のメディア・ディスク用付属品の固定構造であることを要旨としている。
【考案の効果】
【００１３】
本考案に係るメディア・ディスク用付属品の固定構造によれば、次のような効果がある。
（１）付属品を安定に固定することができる。
【００１４】
（２）折り板を長期間に開けたり閉めたりしても、折り板がディスク放置台から分離しなく、使用寿命が長くなる。
【００１５】
（３）大量生産することができ、生産コストが低減できる。
【考案を実施するための最良の形態】
【００１６】
以下、添付図面を参照して本考案の好適な実施の形態を詳細に説明する。
【実施例１】
【００１７】
まず、図３を参照する。本考案に係るメディア・ディスク用付属品の固定構造は、折り板２０と、ディスク放置台３０とを含む。
【００１８】
前記折り板２０は、折畳んで収納することを可能にする部材である。
【００１９】
前記ディスク放置台３０は、一体成形された樹脂製品であり、その表面に一つの窪み３１が設けてあり、前記窪み３１の対称する左右の壁面には二つの定位部３２がそれぞれ設けてあり、各定位部３２と窪み３１にある底面の間には空間３３が開設してあり、また、窪み３１の底面には一つの収容窪み３４が設けてあり、前記収容窪み３４の底面の中央箇所では一つの定位構造３５が設けてあり、且つ収容窪み３４の壁面には四つの窪み部３６が形成してあり、また、窪み３１のコーナー部に近接する箇所では前記定位部３２から遠ざかった四つのピン３７が形成してあり、ディスク放置台３０は、ピン３７の端面と、窪み部３６の反対側にある底面とによって折り板２０の裏面に貼り付けられる。
【００２０】
次に、図３と図４を参照する。本考案は、ディスク放置台３０には収容窪み３４を設けた窪み３１が設けられた構造により、メディア・ディスク４０が収容窪み３４の底面の定位構造３５上に定位され、また、ディスク放置台３０にある窪み３１の壁面に定位部３２が形成され、且つ前記定位部３２と窪み３１にある底面の間には空間３３が形成される構造である。したがって、付属品５０は窪み３１内に設置することができ、且つ付属品５０は、その側辺が空間３３内に位置し、定位部３２によってディスク放置台３０の窪み３１内に定位されるので、付属品５０を安定に収納することが達成できる。
【００２１】
本考案では、ディスク放置台３０は窪み部３６の反対側にある底面によって折り板２０の裏面に貼り付けられると共に、ディスク放置台３０に形成されたピン３７の端面によって折り板２０の裏面に貼り付けられ、且つ前記ピン３７はディスク放置台３０の底部のコーナー部に近接する箇所に位置するので、ディスク放置台３０と折り板２０の結合効果が向上され、だから、折り板２０を長期間に開けたり閉めたりしても、折り板２０がディスク放置台１１から分離しなく、使用寿命が長くなる。
【００２２】
本考案に係るディスク放置台３０は、一体成形された樹脂製品であるので、金型によって一体に成形することができ、付属品５０を定位するための定位部３３と窪み３１が一回で成形できるので、大量生産することができ、生産コストが低減できる。
【実施例２】
【００２３】
また、本考案に係るディスク放置台３０は、単一のメディア・ディスク４０を収納できると共に、収容窪み３４と、定位構造３５の深さとを変更することにより、図５と図６に示すように、定位部３２の付属品５０を窪み３１内に定位する機能に影響を与えずに、複数のメディア・ディスク４０を収納することが可能となる。
【実施例３】
【００２４】
また、本考案に係るディスク放置台３０は、窪み３１の対称する左右の壁面に二つの定位部３２をそれぞれ形成してもいいし、図７に示すように、窪み３１の対称する上下の壁面に二つの定位部３２をそれぞれ形成してもよく、そうすると、両方とも定位部３２によって付属品５０を窪み３１内に定位することができ、付属品５０を安定に収納する効果が達成できる。
【図面の簡単な説明】
【００２５】
【図１】従来のディスク収納ケースの斜視図である。
【図２】もう一つの従来のディスク収納ケースの斜視図である。
【図３】本考案の組合状態の斜視図である。
【図４】本考案の使用状態の斜視図である。
【図５】本考案に係る実施例２の斜視図であって、本考案に複数のメディア・ディスクを収納した状態を示す斜視図である。
【図６】図５の一部の拡大図である。
【図７】本考案に係る実施例３の斜視図である。
【符号の説明】
【００２６】
１０      折り板                    １１      ディスク放置台
１２      収容窪み                  １３      定位構造
１４      メディア・ディスク        １５      窪み部
１６      付属品                    １７      止め片
２０      折り板
３０      ディスク放置台            ３１      窪み
３２      定位部                    ３３      空間
３４      収容窪み                  ３５      定位構造
３６      窪み部                    ３７      ピン
４０      メディア・ディスク        ５０      付属品
【図１】
0003110421.tif 000003
【図２】
0003110421.tif 000004
【図３】
0003110421.tif 000005
【図４】
0003110421.tif 000006
【図５】
0003110421.tif 000007
【図６】
0003110421.tif 000008
【図７】
0003110421.tif 000009